(57)【要約】【課題】受信者が、より迅速に通話を行うことが可能な電話装置を提供すること。【解決手段】電話装置が、親機（１０）と、複数の子機（１,２）と、親機（１０）および複数の子機（１,２）のうちの一つの機に呼び出しを表す信号が入力されると、その呼び出しを表す信号が入力された機と、その機以外の他の親機（１０）および子機（１,２）の夫々との音声経路を構築するように、親機（１０）および複数の子機（１,２）を制御する第１制御を行う音声経路制御手段とを備えるようにする。【選択図】図６
2014064119.tif 000002
【特許請求の範囲】
【請求項１】
親機と、
複数の子機と、
上記親機および上記複数の子機のうちの一つの機に呼び出しを表す信号が入力されると、その呼び出しを表す信号が入力された機と、その機以外の他の親機および上記子機の夫々との音声経路を構築するように、上記親機および上記複数の子機を制御する第１制御を行う音声経路制御手段と
を備えることを特徴とする電話装置。
【請求項２】
請求項１に記載の電話装置において、
上記音声経路制御手段は、上記第１制御において、上記親機および上記複数の子機で構築可能な全ての二つの対の間の音声経路を構築するように、上記親機および上記複数の子機を制御することを特徴とする電話装置。
【請求項３】
請求項１または２に記載の電話装置において、
上記音声経路制御手段に上記第１制御を行わせる選択手段を備えることを特徴とする電話装置。
【請求項４】
請求項１から３までのいずれか一項に記載の電話装置において、
上記親機および複数の子機の夫々は、上記一つの機以外の他の親機および上記子機に呼出音を鳴動させるか否かを選択できると共に、呼出音を鳴動させる場合には、呼出音の鳴動回数も設定できる鳴動選択手段を備え、
上記鳴動選択手段を介して呼出音の鳴動回数が設定された場合、上記鳴動回数の呼出音が鳴動した後、上記音声経路制御手段が、上記第１制御を行うことを特徴とする電話装置。
【請求項５】
請求項１から４までのいずれか一項に記載の電話装置において、
上記親機および上記複数の子機の夫々は、音声を検出する音声検出手段を備え、
上記音声経路制御手段が上記第１制御を行った後、上記親機および上記複数の子機のうちの一つの機の音声検出手段が、音声の検出をした場合、上記音声経路制御手段が、呼び出しを表す信号が入力された機と、音声の検出がされた機との音声経路以外の音声経路を切断する第２制御を行うことを特徴とする電話装置。
【請求項６】
請求項１から５までのいずれか一項に記載の電話装置において、
上記親機および上記複数の子機の夫々は、音声を認識する音声認識手段を備え、
上記音声経路制御手段が上記第１制御を行った後、上記親機および上記複数の子機のうちの一つの機の音声認識手段が、予め定められた音声の認識をした場合、上記音声経路制御手段が、呼び出しを表す信号が入力された機と、上記予め定められた音声の検出がされた機との音声経路以外の音声経路を切断する第３制御を行うことを特徴とする電話装置。
【請求項７】
請求項１から６までのいずれか一項に記載の電話装置において、
上記音声経路制御手段が上記第１制御を行った後、呼び出しを表す信号が入力された機以外の親機または子機が応答をすると、上記音声経路制御手段は、呼び出しを表す信号が入力された機と、その応答をした機との音声経路以外の音声経路を切断する第４制御を行うことを特徴とする電話装置。
【請求項８】
請求項１から７までのいずれか一項に記載の電話装置において、
上記親機および上記複数の子機の夫々は、呼び出しを表す信号が入力された機との音声経路を切断するための切断選択手段を備え、
上記親機および上記複数の子機のうちの一以上の機で上記切断選択手段が選択されると、上記音声経路制御手段は、呼び出しを表す信号が入力された機と、その切断選択手段が選択された上記一以上の機との音声経路を切断する第５制御を行うことを特徴とする電話装置。
【請求項９】
請求項８に記載の電話装置において、
上記呼びだしを表す信号が入力された機以外の全ての機の上記切断選択手段が選択されると、上記呼びだしを表す信号が入力された機にビジートーンが流れるようになっていることを特徴とする電話装置。
【請求項１０】
請求項１から９までのいずれか一つに記載の電話装置において、
上記呼びだしを表す信号が入力された機に発生された音声が、その機以外の全ての機に流れることが可能になっていることを特徴とする電話装置。
【発明の詳細な説明】
【技術分野】
【０００１】
本発明は、親機と、複数の子機とを備える電話装置に関する。
【背景技術】
【０００２】
従来、電話装置としては、特開２０００−２０９３０７号公報（特許文献１）に記載されているものがある。この電話装置は、親機と、複数の子機とを備え、親機と、各子機とは、無線を通じて接続可能になっている。この電話装置は、呼び出し時に所定レベル以上の外部音声を検出した子機を、迅速かつ確実に通話状態に切り替えるようになっている。
【０００３】
しかしながら、上記従来の電話装置では、特定の子機が外部音声を検出した後、その特定の子機が通話可能状態になるのに所定の時間が必要になるから、外部音声を発して通話を意図した受信者が、通話を迅速に行えないという問題がある。
【先行技術文献】
【特許文献】
【０００４】
【特許文献１】２０００−２０９３０７号公報
【発明の概要】
【発明が解決しようとする課題】
【０００５】
そこで、本発明の課題は、受信者が、より迅速に通話を行うことが可能な電話装置を提供することにある。
【課題を解決するための手段】
【０００６】
上記課題を解決するため、この発明の電話装置は、
親機と、
複数の子機と、
上記親機および上記複数の子機のうちの一つの機に呼び出しを表す信号が入力されると、その呼び出しを表す信号が入力された機と、その機以外の他の親機および上記子機の夫々との音声経路を構築するように、上記親機および上記複数の子機を制御する第１制御を行う音声経路制御手段と
を備えることを特徴としている。
【０００７】
本発明によれば、親機および複数の子機のうちの一つの機に呼び出しを表す信号がユーザーから入力されると、音声経路制御手段が、その呼び出しを表す信号が入力された機と、その機以外の他の親機および子機の夫々との音声経路を構築するように、親機および複数の子機を制御する第１制御を行う。したがって、受け手が通話を望んだときには、もう既に必要な音声経路が構築されているから、受け手が、通話を迅速に行うことができる。
【０００８】
また、一実施形態では、
上記音声経路制御手段は、上記第１制御において、上記親機および上記複数の子機で構築可能な全ての二つの対の間の音声経路を構築するように、上記親機および上記複数の子機を制御する。
【０００９】
上記実施形態によれば、如何なる機に呼び出しを表す信号が入力されても、同じ音声経路が構築されることになるから、呼び出しを表す信号が入力されたときの音声経路の構築の制御を迅速かつ容易に行うことができる。
【００１０】
また、一実施形態では、
上記音声経路制御手段に上記第１制御を行わせる選択手段を備える。
【００１１】
尚、上記選択手段は、内線キーなどで構成できる。
【００１２】
上記実施形態によれば、上記選択手段を操作することにより、上記音声経路制御手段が第１制御を行うから、例えば、ユーザが外線から内線に切替を行いたいときに、上記選択手段を操作するだけで、親機および複数の子機の間の音声経路（呼び出しを表す信号が外部から入力された機と、その機以外の他の親機および上記子機の夫々との音声経路、または、親機および複数の子機で構築可能な全ての二つの対の間の音声経路のどちらでも良い）を迅速に構築できて、内線電話に迅速に移行することができる。
【００１３】
また、一実施形態では、
上記親機および複数の子機の夫々は、上記一つの機以外の他の親機および上記子機に呼出音を鳴動させるか否かを選択できると共に、呼出音を鳴動させる場合には、呼出音の鳴動回数も設定できる鳴動選択手段を備え、
上記鳴動選択手段を介して呼出音の鳴動回数が設定された場合、上記鳴動回数の呼出音が鳴動した後、上記音声経路制御手段が、上記第１制御を行う。
【００１４】
上記実施形態によれば、鳴動選択手段で、一つの機以外の他の親機および子機に呼出音を鳴動させるか否かを選択できるから、受け手のユーザーに内線電話がかかっていることを容易に知らせることができる。また、鳴動選択手段で呼出音の鳴動回数が可能であるから、受け手の情報（例えば、身体情報や受け手の性格の情報等）に基づいて、適宜、適切な回数の呼出音が鳴るようにすることができる。
【００１５】
また、一実施形態では、
上記親機および上記複数の子機の夫々は、音声を検出する音声検出手段を備え、
上記音声経路制御手段が上記第１制御を行った後、上記親機および上記複数の子機のうちの一つの機の音声検出手段が、音声の検出をした場合、上記音声経路制御手段が、呼び出しを表す信号が入力された機と、音声の検出がされた機との音声経路以外の音声経路を切断する第２制御を行う。
【００１６】
上記実施形態によれば、通話の最中に、余計な音声経路が切断されることになるから、混線を防止できると共に、内線電話の通話中の電力を抑制できる。
【００１７】
また、一実施形態では、
上記親機および上記複数の子機の夫々は、音声を認識する音声認識手段を備え、
上記音声経路制御手段が上記第１制御を行った後、上記親機および上記複数の子機のうちの一つの機の音声認識手段が、予め定められた音声の認識をした場合、上記音声経路制御手段が、呼び出しを表す信号が入力された機と、上記予め定められた音声の検出がされた機との音声経路以外の音声経路を切断する第３制御を行う。
【００１８】
上記実施形態によれば、各機が音声認識手段を有して、特定の機が予め定められた音声の認識をした場合に、呼び出し側の機と、その特定の機との音声経路が構築されるようになっているから、呼び出し側のユーザーが、選択的に所望の話し相手と通話することができる。
【００１９】
また、上記実施形態によれば、通話の最中に、余計な音声経路が切断されることになるから、混線を防止できると共に、内線電話の通話中の電力を抑制できる。
【００２０】
また、一実施形態では、
上記音声経路制御手段が上記第１制御を行った後、呼び出しを表す信号が入力された機以外の親機または子機が応答をすると、上記音声経路制御手段は、呼び出しを表す信号が入力された機と、その応答をした機との音声経路以外の音声経路を切断する第４制御を行う。
【００２１】
尚、上記応答は、ハンドセット、通話キー、スピーカーホンキー等で行うことができる。
【００２２】
上記実施形態によれば、通話の最中に、余計な音声経路が切断されることになるから、混線を防止できると共に、内線電話の通話中の電力を抑制できる。
【００２３】
また、一実施形態では、
上記親機および上記複数の子機の夫々は、呼び出しを表す信号が入力された機との音声経路を切断するための切断選択手段を備え、
上記親機および上記複数の子機のうちの一以上の機で上記切断選択手段が選択されると、上記音声経路制御手段は、呼び出しを表す信号が入力された機と、その切断選択手段が選択された上記一以上の機との音声経路を切断する第５制御を行う。
【００２４】
上記選択手段は、例えば、切キーや、停止キー等で構成できる。
【００２５】
上記実施形態によれば、内線電話をかけた人から、電話をしたい相手、内容が伝えられても、その相手、内容に答えれる人がいないときに、切キーや停止キーなどの特定のキーを押すと、呼び出しを表す信号が入力された機と、キーを押された親機、もしくは、子機との音声経路が切断される。したがって、話したい相手がいる機が容易に選択される。
【００２６】
また、一実施形態では、
上記呼びだしを表す信号が入力された機以外の全ての機の上記切断選択手段が選択されると、上記呼びだしを表す信号が入力された機にビジートーンが流れるようになっている。
【００２７】
上記実施形態によれば、内線電話をかけた人は、ビジートーンを認識することにより、所望の電話相手が存在しないことを認識することができる。
【００２８】
また、一実施形態では、
上記呼びだしを表す信号が入力された機に発生された音声が、その機以外の全ての機に流れることが可能になっている。
【００２９】
上記実施形態によれば、話し手が会話を所望する人が、呼びだしを表す信号が入力された機以外の機が存在する如何なる部屋にいても容易に会話を行うことができる。
【発明の効果】
【００３０】
本発明によれば、受信者が、より迅速に通話を行うことが可能な電話装置を実現できる。
【図面の簡単な説明】
【００３１】
【図１】本発明の一実施形態の電話装置の親機の外観を示す図である。
【図２】親機の各構成要素の関係を示すブロック図である。
【図３】上記電話装置の各子機の外観を示す図である。
【図４】各子機の各構成要素の関係を示すブロック図である。
【図５】この電話装置で実現可能な動作を示す動作図である。
【図６】この電話装置で実現可能な音声経路を示す図である。
【図７】この電話装置で実現可能な音声経路を示す図である。
【図８】この電話装置で実現可能な動作を示す動作図である。
【図９】この電話装置で実現可能な音声経路を示す図である。
【図１０】この電話装置で実現可能な動作を示す動作図である。
【図１１】この電話装置で実現可能な動作を示す動作図である。
【図１２】この電話装置で実現可能な動作を示す動作図である。
【図１３】この電話装置で実現可能な音声経路を示す図である。
【図１４】この電話装置で実現可能な動作を示す動作図である。
【図１５】この電話装置で実現可能な動作を示す動作図である。
【図１６】この電話装置で実現可能な動作を示す動作図である。
【図１７】この電話装置で実現可能な動作を示す動作図である。
【図１８】この電話装置で実現可能な音声経路を示す図である。
【図１９】この電話装置で実現可能な音声経路を示す図である。
【図２０】この電話装置で実現可能な音声経路を示す図である。
【図２１】この電話装置で実現可能な動作を示す動作図である。
【図２２】この電話装置で実現可能な音声経路を示す図である。
【図２３】この電話装置で実現可能な動作を示す動作図である。
【図２４】この電話装置で実現可能な動作を示す動作図である。
【図２５】この電話装置で実現可能な動作を示す動作図である。
【図２６】この電話装置で実現可能な音声経路を示す図である。
【図２７】この電話装置で実現可能な動作を示す動作図である。
【図２８】この電話装置で実現可能な動作を示す動作図である。
【図２９】この電話装置で実現可能な動作を示す動作図である。
【図３０】この電話装置で実現可能な動作を示す動作図である。
【図３１】この電話装置で実現可能な音声経路を示す図である。
【図３２】この電話装置で実現可能な動作を示す動作図である。
【図３３】この電話装置で実現可能な音声経路を示す図である。
【図３４】この電話装置で実現可能な動作を示す動作図である。
【図３５】この電話装置で実現可能な動作を示す動作図である。
【図３６】この電話装置で実現可能な動作を示す動作図である。
【図３７】この電話装置で実現可能な音声経路を示す図である。
【図３８】この電話装置で実現可能な動作を示す動作図である。
【図３９】この電話装置で実現可能な動作を示す動作図である。
【図４０】この電話装置で実現可能な動作を示す動作図である。
【図４１】この電話装置で実現可能な動作を示す動作図である。
【図４２】この電話装置で実現可能な動作を示す動作図である。
【図４３】この電話装置で実現可能な動作を示す動作図である。
【図４４】この電話装置で実現可能な動作を示す動作図である。
【図４５】この電話装置で実現可能な動作を示す動作図である。
【図４６】この電話装置で実現可能な音声経路を示す図である。
【図４７】この電話装置で実現可能な音声経路を示す図である。
【図４８】この電話装置で実現可能な動作を示す動作図である。
【図４９】この電話装置で実現可能な動作を示す動作図である。
【図５０】この電話装置で実現可能な動作を示す動作図である。
【図５１】この電話装置で実現可能な動作を示す動作図である。
【図５２】この電話装置で実現可能な音声経路を示す図である。
【図５３】この電話装置で実現可能な動作を示す動作図である。
【図５４】この電話装置で実現可能な音声経路を示す図である。
【図５５】この電話装置で実現可能な動作を示す動作図である。
【図５６】この電話装置で実現可能な動作を示す動作図である。
【図５７】この実施形態の電話装置で採用可能な動作の制御の一例を示すフローチャートである。
【発明を実施するための形態】
【００３２】
以下、本発明を図示の形態により詳細に説明する。
【００３３】
尚、以下に説明する本発明の一実施形態の電話装置は、一つの親機と、二つの子機とを備える。しかしながら、この発明の電話装置は、子機を一つまたは三つ以上有していても良い。
【００３４】
図１は、その電話装置の親機１０の外観を示す図であり、図２は、親機１０の各構成要素の関係を示すブロック図である。
【００３５】
図１に示すように、この親機１０は、スピーカーホンキー１１と、内線キー１２と、ハンドセット１３とを備える。また、図２に示すように、この親機１０は、回路部２０と、スイッチ部２１と、制御部２２と、表示部２３と、操作部２４と、ハンドセット部２５と、スピーカーホン部２６と、第１無線部２７と、第２無線部２８とを備える。上記スイッチ部２１は、トランジスタ等で構成される周知のスイッチング回路からなり、制御部２２からの信号を受け手、各部２０,２５〜２８の間を適宜、接続または切断するようになっている。また、表示部２３は、ＬＣＤやＬＥＤ等で構成され、ユーザに各種情報を通知するようになっており、操作部２４は、キーやタッチパネル等で構成されて、外部と制御部２２との情報のやり取りを可能にしている。
【００３６】
また、ハンドセット部２５は、ハンドレシーバおよびハンドマイクを用いた情報のやり取りを可能とし、また、スピーカーホン部２６は、スピーカおよびマイクを用いた情報のやり取りを可能としている。また、この親機１０は、第１無線部２７と、第２無線部２８とを有することで、二つの子機と同時に信号のやり取りを行うことができるようになっている。
【００３７】
ユーザは、図１のスピーカーホンキー１１を押し下げることにより、スピーカーおよびマイクを用いた通話を行うことができ、また、ハンドセット１３を使用することにより、ハンドセットレシーバおよびハンドセットマイクを用いた通話を行うことができるようになっている。また、ユーザは、以下に詳述するように、外線との接続中に内線キー１２を押圧することにより回線を外線から内線に変換できるようになっている。
【００３８】
尚、この実施形態では、無線部２７,２８を二つ有しているが、この発明では、親機が、無線部を有していなくても、または、一つのみ有しても、または、無線部を三以上有していても良い。
【００３９】
図３は、上記電話装置の各子機４０の外観を示す図であり、図４は、各子機４０の各構成要素の関係を示すブロック図である。
【００４０】
図３に示すように、各子機４０は、通話キー５０と、内線キー５１と、スピーカーホンキー５２とを備える。また、図４に示すように、各子機４０は、スイッチ部６０と、制御部６１と、表示部６２と、操作部６３と、ハンドセット部６４と、スピーカーホン部６５と、無線部６６とを備える。上記スイッチ部６０は、トランジスタ等で構成される周知のスイッチング回路からなり、制御部６１からの信号を受け手、各部６４〜６６の間を適宜、接続または切断するようになっている。また、表示部６２は、ＬＣＤやＬＥＤ等で構成され、ユーザに各種情報を通知するようになっており、操作部６３は、キーやタッチパネル等で構成されて、外部と制御部との情報のやり取りを可能にしている。
【００４１】
また、ハンドセット部６４は、ハンドレシーバおよびハンドマイクを用いた情報のやり取りを可能とし、また、スピーカーホン部６５は、スピーカおよびマイクを用いた情報のやり取りを可能としている。また、各子機４０は、一つの無線部６６を有し、この無線部６６を介して、親機１０と通信ができるようになっており、また、この無線部６６を介して、親機１０を経由して他の子機４０（尚、この実施形態では、子機が二つある場合を説明するが、以下、これらを、子機１、子機２として区別することにする）と通信ができるようになっている。
【００４２】
ユーザは、図３のスピーカーホンキー５２を押し下げることにより、スピーカーおよびマイクを用いた通話を行うことができ、また、図３の通話キー５０を押し下げることにより、通話ができるようになっている。また、以下で詳述するように、ユーザは、外線との接続中に内線キー５１を押圧することにより回線を外線から内線に変換できるようになっている。
【００４３】
上記親機１０の制御部２２と、一方の子機1の制御部６１と、他方の子機２の制御部６２とは、音声経路制御手段を構成している。また、親機１０の内線キー１２と、子機１の内線キー５１と、子機２の内線キー５１とは、音声経路制御手段に第１制御を行わせる選択手段を構成している。また、親機１０のハンドセットマイクと、マイクとは、音声検出手段を構成し、また、各子機４０のハンドセットマイクと、マイクとも、音声検出手段を構成している。
【００４４】
以下、この実施形態の電話装置で可能な動作について説明する。
【００４５】
図５は、呼び出しを表す信号が外部から入力された機（呼出側の機）が、親機であり、応答側の機が子機１、２であり、呼出側の操作が、内線キーであり、応答側の操作が、子機での音声検出であり、かつ、呼出音がない場合の動作の一例を示す動作図である。
【００４６】
尚、図５以下の動作図では、子機４０が二つの場合の例について説明するが、上記例は、親機での無線部の数を三以上にすることにより、子機が三つ以上ある場合にも容易に適用できる。
【００４７】
図５に示すように、この場合においては、親機１０で内線キーが押し下げられると、音声経路制御手段が、第１制御を行って、図６に示す音声経路１を構築し、親機１０と、子機１との音声経路がつながれると共に、親機１０と、子機２との音声経路がつながれるようになっている。
【００４８】
詳しくは、図６に示すように、音声経路１では、親機１０の無線部１を構成するＲＦモジュール（高周波モジュール）１と、子機１のＲＦモジュールとが無線でつながっており、親機１０のマイクから取り入れられた音声が、エンコーダや、デコーダ等を介して、子機１のスピーカから出力されるようになっていると共に、子機１のスピーカから取り入れられた音声が、エンコーダや、デコーダ等を介して、親機１０のスピーカから出力されるようになっている。
【００４９】
また、同様に、音声経路１では、親機１０の無線部２を構成するＲＦモジュール２と、子機２のＲＦモジュールとが無線でつながっており、親機１０のマイクから取り入れられた音声が、エンコーダや、デコーダ等を介して、子機２のスピーカから出力されるようになっていると共に、子機２のスピーカから取り入れられた音声が、エンコーダや、デコーダ等を介して、親機１０のスピーカから出力されるようになっている。
【００５０】
その後、子機１で音声が検出され、その情報が、子機１から親機１０に伝達されている。そして、その後、親機１０から子機１と子機２とに制御信号が発信されて、音声経路制御手段が、第２制御を行って、図７に示す音声経路５を構築し、親機１０と、子機１との音声経路の接続を持続する一方、親機１０と、子機２との音声経路の切断が行われている。
【００５１】
図７に示すように、この状態では、親機１０からの制御信号において、親機１０において、ミキサーによって、マイクおよびスピーカと、ＲＦモジュール２との接続が遮断され、また、子機２において、ＲＦモジュールと、ＡＤＰＣＭ(Adaptive Differential Pulse Code Modulation)デコーダおよびＡＤＰＣＭエンコーダとの信号のやり取りができないようになっている。このようにして、親機１０と、子機２との音声経路が切断される。
【００５２】
図８は、図５に示す動作との比較において、応答側の操作が、子機での音声検出ではなくて、子機での通話キーの押圧であるか、もしくは、スピーカーホンキーの押圧である点が異なる動作の動作図である。
【００５３】
図８に示すように、この動作では、図６に示す音声経路１が構築されている状態で、子機１で通話キーが押し下げられて、子機１で応答が行われたとする。すると、子機１から親機１０にその情報が伝達されて、その後、親機１０から子機１と子機２とに制御信号が発信されて、音声経路制御手段が、第４制御を行って、図９に示す音声経路１０を構築し、親機１０と子機２との音声経路が切断される一方、親機１０と子機１との音声経路が持続されるようになっている。このようにして、音声経路制御手段によって、呼び出しを表す信号が入力された機である親機１０と、応答をした機である子機１との音声経路以外の経路が切断されるようになっている。
【００５４】
また、図８に示すように、応答側が、子機１でスピーカーホンキーを押し下げたとすると、子機１からその情報が親機１０に伝達され、その後、親機１０から子機１と子機２とに制御信号が発信させる。そして、図７で説明した音声経路５を構築して、親機１０と子機２との音声経路を切断する一方、親機１０と子機１との音声経路を持続するようになっている。
【００５５】
図７および図９に示すように、音声経路５と、音声経路１０との違いは、音声経路５では、子機１を用いたやり取りがスピーカおよびマイクで起なわれる一方、音声経路１０では、子機１を用いたやり取りが、ハンドセットレシーバおよびハンドセットマイクで行われる点である。
【００５６】
図１０は、図５に示す動作との比較において、呼出音がある点が異なる動作の動作図である。
【００５７】
図１０に示すように、この動作では、親機１０で内線キーが押圧されると、親機１０、子機１および子機２において、ユーザが指定可能な一定回数の呼出音が（鳴る鳴った後に、図６で説明した上記音声経路１が構築されるようになっている。
【００５８】
図１１は、図８に示す動作との比較において、呼出音がある点が異なる動作の動作図である。
【００５９】
図１１に示すように、この動作では、親機１０で内線キーが押圧されると、親機１０、子機１および子機２において、ユーザが指定可能な一定回数の呼出音が鳴った後に、図６で説明した上記音声経路１が構築されるようになっている。
【００６０】
図１２は、図５に示す動作との比較において、親機１０で内線キーが押圧される前に、スピーカーホンキーが押圧される点が異なる動作の動作図である。
【００６１】
図１２に示すように、この動作では、親機１０で、先ず、スピーカーホンキーが押し下げられると、親機１０外線通話の音声経路がつながれ、図１３に示す音声経路１２が構築され、親機１０と、各子機との音声経路が遮断され、親機１０での外線通話が可能になる。
【００６２】
次にこの状態で、親機１０において、内線キーが押し下げられると、親機１０外線通話経路が切れて、図６に示す音声経路１が構築されるようになっている。以下は、図５で説明した動作を同じである。
【００６３】
図１４は、図１２に示す動作との比較において、音声経路１が構築された後、子機１で音声検出が行われる代わりに、子機１で通話キーが押し下げられる操作が行われるか、もしくは、子機１でスピーカーホンキーが押し下げられる操作が行われる点が異なる動作の動作図である。
【００６４】
図１４に示すように、この動作では、音声経路１が構築された後、子機１で、通話キーが押し下げられると、この情報が子機１から親機１０に伝達され、その後、親機１０から子機１と子機２とに制御信号が発信させて、図９で説明した音声経路１０が構築されるようになっている。
【００６５】
また、図１４に示すように、上記音声経路１が構築された後に、子機１でスピーカーホンキーが押し下げられると、この情報が子機１から親機１０に伝達され、その後、親機１０から子機１と子機２とに制御信号が発信させて、図７に示す音声経路５が構築されるようになっている。
【００６６】
図１５は、図１２に示す動作との比較において、呼出音がある点が異なる動作の動作図である。
【００６７】
図１５に示すように、この動作では、親機１０における内線キーの押し下げがあると、親機１０、子機１および子機２において、ユーザが設定可能な回数、呼出音が鳴るようになっている点が、図１２に示す動作と異なっている。
【００６８】
図１６は、図１４に示す動作との比較において、呼出音がある点が異なる動作の動作図である。
【００６９】
図１６に示すように、この動作では、親機１０における内線キーの押下があると、親機１０、子機１および子機２において、ユーザが設定可能な回数、呼出音が鳴るようになっている点が、図１４に示す動作と異なっている。
【００７０】
図１７は、図５に示す動作との比較において、親機１０で内線キーが押圧される前に、ハンドセットをあげる動作を行う点が異なる動作の動作図である。
【００７１】
図１７に示すように、この動作では、親機１０で、先ず、ハンドセットがあげられると、親機１０外線通話の音声経路がつながれて、図１８に示す音声経路６が構築されて、親機１０において、ハンドセットレシーバおよびハンドセットマイクを用いた外部との通話が可能になる一方、親機１０と、各子機との音声経路が遮断されるようになっており。
【００７２】
次にこの状態で、親機１０において、内線キーが押し下げられると、親機１０外線通話経路が切れると共に、親機１０から子機１と子機２とに制御信号が発信されて、図１９に示す音声経路２が構築されて、親機１０と、子機１との音声経路がつながれると共に、親機１０と、子機２との音声経路がつながれるようになっている。
【００７３】
そして、その後、子機１で、音声検出が行われると、その情報が子機１から親機１０に送られた後、親機１０から子機１と子機２とに制御信号が送られて、図２０に示す音声経路９が構築され、親機１０と、子機１との音声経路の接続が持続される一方、親機１０と、子機２との音声経路が切断されるようになっている。
【００７４】
図２１は、図１７に示す動作との比較において、子機で音声検出が行われる代わりに、子機において通話キーが押圧される動作を行うか、もしくは、子機１でスピーカーホンキーが押圧される動作を行う点が異なる動作の動作図である。
【００７５】
図２１に示すように、この動作では、音声経路２が構築されている状態で、子機１で通話キーが押圧されると、この情報が、子機１から親機１０に伝達された後、親機１０から子機１と子機２とに制御信号が発信されて、図２０に示す音声経路９が構築されるようになっている。
【００７６】
また、図２１に示すように、音声経路２が構築されている状態で、子機１でスピーカーホンキーが押圧されると、この情報が、子機１から親機１０に伝達されるようになっている。そして、親機１０から子機１と子機２とに制御信号が発信されて、図２２に示す音声経路１１が構築され、親機１０と、子機１との音声経路が接続される一方、親機１０と、子機２との音声経路が切断されるようになっている。
【００７７】
図２３は、図１７に示す動作との比較において、呼出音が発生される点が異なる動作の動作図である。
【００７８】
図２３に示すように、この動作では、内線キーが押し下げられると、ユーザが設定可能な回数、呼出音が鳴る点のみが、図１７に示す動作と異なっている。
【００７９】
図２４は、図２１に示す動作との比較において、呼出音が発生される点が異なる動作の動作図である。
【００８０】
図２４に示すように、この動作では、内線キーが押し下げられると、ユーザが設定可能な回数、呼出音が鳴る点のみが、図２１に示す動作と異なっている。
【００８１】
図２５は、呼び出しを表す信号が外部から入力された機（呼出側の機）が、子機１であり、応答側の機が、親機１０であり、呼出側の操作が、内線キーであり、応答側の操作が、音声検出であり、かつ、呼出音がない場合の動作の一例を示す動作図である。
【００８２】
図２５に示すように、この動作では、子機１において、内線キーが押圧されると、子機１から親機１０と子機２とに制御信号が発信されて、図２６に示す音声経路３が構築され、子機１と、親機１０との音声経路がつながると共に、子機１と、子機２との音声経路がつながるようになっている。
【００８３】
詳しくは、図２６に示すように、子機１と、親機１０とは無線信号を介して直接通話可能になると共に、子機１と、子機２とは、親機１０のＲＦモジュール１および２を介して直接通話できるようになっている。
【００８４】
そして、その後、親機１０で音声検出が行われると、その情報が親機１０から子機１に伝達され、その後、子機１から親機１０と子機２とに制御信号が発信されて、図７で示す音声経路５が構築され、子機１と、親機１０との音声経路が維持される一方、子機１と、子機２との音声経路が切断されるようになっている。
【００８５】
図２７は、図２５に示す動作との比較において、親機１０での音声検出を行う代わりに親機１０でスピーカーホンキーが押圧される動作か、もしくは、親機１０でハンドセットをあげる動作を行う点が異なる動作の動作図である。
【００８６】
図２７に示すように、この動作では、音声経路３が構築されている状態で、親機１０においてスピーカーホンキーが押圧されると、その情報が親機１０から子機１に伝達され、その後、子機１から親機１０と子機２とに制御信号が発信されて、図７で示す音声経路５が構築されるようになっている。
【００８７】
また、図２７に示すように、上記音声経路３が構築されている状態で、親機１０においてハンドセットがあげられると、その情報が親機１０から子機１に伝達され、その後、子機１から親機１０と子機２とに制御信号が発信されて、図２０に示す音声経路９が構築される。このようにして、子機１と親機１０との音声経路が維持される一方、子機１と子機２との音声経路が遮断されるようになっている。
【００８８】
図２８は、図２５に示す動作との比較において、呼出音が鳴る点が異なる動作の動作図である。
【００８９】
図２８に示すように、この動作では、子機１において内線キーが押し下げられると、ユーザが設定可能な回数の呼出音が鳴るようになっている点が図２５に示す動作と異なる。
【００９０】
図２９は、図２７に示す動作との比較において、呼出音が鳴る点が異なる動作の動作図である。
【００９１】
図２９に示すように、この動作では、子機１において内線キーが押し下げられると、ユーザが設定可能な回数の呼出音が鳴るようになっている点が図２７に示す動作と異なる。
【００９２】
図３０は、呼び出しを表す信号が外部から入力された機（呼出側の機）が、子機１であり、応答側の機が、子機２であり、呼出側の操作が、内線キーであり、応答側の操作が、音声検出であり、かつ、呼出音がない場合の動作の一例を示す動作図である。
【００９３】
図３０に示すように、この動作では、上記音声経路３が構築されている状態で、子機２が音声検出すると、その情報が子機２から子機１に伝達されて、その後、子機１から親機１０と子機２とに制御信号が発信されて、図３１に示す音声経路１３が構築されるようになっている。そして、子機１と親機１０との音声経路が遮断される一方、子機１と子機２との音声経路が、親機１０のＲＦモジュール１と、親機１０のＲＦモジュール２とを介して維持されるようになっている。
【００９４】
図３２は、図３０に示す動作との比較において、子機２が音声を検出する代わりに子機２で通話キーが押圧されるか、もしくは、子機でスピーカーホンキーが押圧された点が異なる動作の動作図である。
【００９５】
図３２に示すように、この動作では、音声経路３が構築されている状態で、子機２で通話キーが押圧されると、その情報が子機１に伝達されて、子機１から親機１０および子機２に信号が伝達されて、図３３に示す音声経路１４が構築されるようになっている。そして、子機１と親機１０との音声経路が遮断される一方、子機１と子機２との音声経路が、親機１０のＲＦモジュール１と、親機１０のＲＦモジュール２とを介して維持されるようになっている。
【００９６】
また、図３２に示すように、音声経路３が構築されている状態で、子機２でスピーカーホンキーが押圧されると、その情報が子機１に伝達されて、子機１から親機１０および子機２に制御信号が送られるようになっている。そして、図３１に示す音声経路１３が構築されるようになっている。
【００９７】
図３４は、図３０に示す動作との比較において、呼出音が鳴る点が異なる動作の動作図である。
【００９８】
図３４に示すように、この動作では、子機１において内線キーが押し下げられると、ユーザが設定可能な回数、親機１０、子機１および子機２の夫々で呼出音が鳴る点が図３０に示す動作と異なっている。
【００９９】
図３５は、図３２に示す動作との比較において、呼出音が鳴る点が異なる動作の動作図である。
【０１００】
図３５に示すように、この動作では、子機１において内線キーが押し下げられると、ユーザが設定可能な回数、親機１０、子機１および子機２の夫々で呼出音が鳴る点が図３２に示す動作と異なっている。
【０１０１】
図３６は、呼び出しを表す信号が外部から入力された機（呼出側の機）が、子機１であり、応答側の機が、親機１０であり、呼出側の操作が、スピーカーホンキーが操作された後、内線キーが操作された場合であり、応答側の操作が、親機１０での音声検出であり、かつ、呼出音がない場合の動作の一例を示す動作図である。
【０１０２】
図３６に示すように、この動作では、子機１において、スピーカーホンキーが押し下げられると、その情報が親機１０および子機２に伝達されて、図３７に示す音声経路１５が構築されて、子機１からの音声データが、親機１０を介して外部に伝送できると共に、外部からの音声データが親機１０を介して子機１のスピーカに伝達できるようになる。
【０１０３】
続いて、子機１で内線キーが押し下げられると、図２５で説明した動作と同一の動作が行われている。
【０１０４】
図３８は、図３６に示す動作との比較において、応答側の操作において、親機１０で音声の検出が行われる代わりに、親機１０でスピーカーホンキーが押圧されるか、もしくは、親機１０でハンドセットをあげる動作が行われる点が異なる動作の動作図である。
【０１０５】
図３８に示すように、この動作では、子機１でスピーカーホンキーが押し下げられると、その情報が子機１から親機１０および子機２に伝達されて、図３７で説明した音声経路１５が構築されて、子機１からの音声データが、親機１０を介して外部に伝送できると共に、外部からの音声データが親機１０を介して子機１のスピーカに伝達できるようになる。
【０１０６】
続いて、子機１で内線キーが押し下げられ、図２７で説明した動作と同一の動作が行われるようになっている。
【０１０７】
また、図３８に示すように、音声経路３が構築されている状態で、親機１０でハンドセットがあげられると、図２０で説明した音声経路９が構築されるようになっている。
【０１０８】
図３９は、図３６に示す動作との比較において、呼出音が鳴る点が異なる動作の動作図である。
【０１０９】
図３９に示すように、この動作では、子機１で内線キーの押し下げがあると、親機１０、子機１および子機２の夫々で、ユーザが設定可能な回数、呼出音が鳴る点が図３６に示す動作と異なっている。
【０１１０】
図４０は、図３８に示す動作との比較において、呼出音が鳴る点が異なる動作の動作図である。
【０１１１】
図４０に示すように、この動作では、子機１で内線キーの押し下げがあると、親機１０、子機１および子機２の夫々で、ユーザが設定可能な回数、呼出音が鳴る点が図３８に示す動作と異なっている。
【０１１２】
図４１は、呼び出しを表す信号が外部から入力された機（呼出側の機）が、子機１であり、応答側の機が、子機２であり、呼出側の操作が、スピーカーホンキーが操作された後、内線キーが操作された場合であり、応答側の操作が、子機２での音声検出であり、かつ、呼出音がない場合の動作の一例を示す動作図である。
【０１１３】
図４１に示すように、この動作では、子機１において、スピーカーホンキーが押し下げられると、その情報が子機１から親機１０および子機２に伝達されて、図３７に示す音声経路１５が構築されて、子機１からの音声データが、親機１０を介して外部に伝送できると共に、外部からの音声データが親機１０を介して子機１のスピーカに伝達できるようになる。
【０１１４】
続いて、子機１で内線キーが押し下げられ、図３０で説明した動作と同一の動作が行われるようになっている。
【０１１５】
図４２は、図４１に示す動作との比較において、応答側の操作が子機２での音声の検出でなくて、子機２での通話キーの押圧か、もしくは、子機でのスピーカーホンキーの押圧である場合の動作の動作図である。
【０１１６】
図４２に示すように、この動作では、音声経路３が構築されている状態で、子機２で通話キーが押し下げられると、子機２の通話キーが押し下げられた情報が子機２から子機１に伝達されるようになっている。そして、その後、子機１から親機１０および子機２に制御信号が発信されて、図３３に示す音声経路１４が構築されるようになっている。
【０１１７】
また、図４２に示すように、音声経路３が構築されている状態で、子機２でスピーカーホンキーが押し下げられると、子機２のスピーカーホンキーが押し下げられた情報が子機２から子機１に伝達されるようになっている。そして、その後、子機１から親機１０および子機２に信号が発信されて、図３１に示す音声経路１３が構築されるようになっている。
【０１１８】
図４３は、図４１に示す動作との比較において、呼出音が鳴る点が異なる動作の動作図である。
【０１１９】
図４３に示すように、この動作では、子機１で内線キーの押し下げがあると、親機１０、子機１および子機２の夫々で、ユーザが設定可能な回数、呼出音が鳴る点が図４１に示す動作を異なっている。
【０１２０】
図４４は、図４２に示す動作との比較において、呼出音が鳴る点が異なる動作の動作図である。
【０１２１】
図４４に示すように、この動作では、子機１で内線キーの押し下げがあると、親機１０、子機１および子機２の夫々で、ユーザが設定可能な回数、呼出音が鳴る点が図４２に示す動作と異なっている。
【０１２２】
図４５は、呼び出しを表す信号が外部から入力された機（呼出側の機）が、子機１であり、応答側の機が、親機１０であり、呼出側の操作が、通話キーが操作された後、内線キーが操作された場合であり、応答側の操作が、親機１０での音声の検出であり、かつ、呼出音がない場合の動作の一例を示す動作図である。
【０１２３】
図４５に示すように、この動作では、子機１において、通話キーが押し下げられると、その情報が子機１から親機１０および子機２に伝達されて、図４６に示す音声経路７が構築されて、子機１からの音声データが、親機１０を介して外部に伝送できると共に、外部からの音声データが親機１０を介して子機１のスピーカに伝達できるようになる。
【０１２４】
続いて、子機１で内線キーが押し下げられると、その情報が子機１から親機１０および子機２に伝達されて、図４７に示す音声経路８が構築されて、子機１と親機１０との音声経路が構築されると共に、子機１と子機２との親機１０のＲＦモジュール１および２を介した音声経路が、構築されるようになっている。
【０１２５】
その後、親機１０で音声の検出があると、その情報が親機１０から子機１に伝達されて、その後、子機１から親機１０および子機２に制御信号が発信されて、図９に示す音声経路１０が構築されるようになっている。
【０１２６】
図４８は、図４５に示す動作との比較において、応答側の操作として、親機１０での音声検出の代わりに、親機１０でのスピーカーホンキーの押下が行われるか、もしくは、親機１０でハンドセットがあげられた場合の動作を示す動作図である。
【０１２７】
図４８に示すように、この動作では、音声経路８が構築されている状態で、親機１０でスピーカーホンキーが押し下げられると、その情報が親機１０から子機１に伝達されるようになっている。そして、その後、子機１から親機１０および子機２に制御信号が発信されて、図９に示す音声経路１０が構築されるようになっている。
【０１２８】
また、図４８に示すように、音声経路８が構築されている状態で、親機１０でハンドセットがあげられると、その情報が親機１０から子機１に伝達されるようになっている。そして、その後、子機１から親機１０および子機２に信号が発信されて、図２２に示す音声経路１１が構築されるようになっている。
【０１２９】
図４９は、図４５に示す動作との比較において、呼出音が鳴る点が異なる動作の動作図である。
【０１３０】
図４９に示すように、この動作では、子機１で内線キーの押し下げがあると、親機１０、子機１および子機２の夫々で、ユーザが設定可能な回数、呼出音が鳴る点が図４５に示す動作と異なっている。
【０１３１】
図５０は、図４８に示す動作との比較において、呼出音が鳴る点が異なる動作の動作図である。
【０１３２】
図５０に示すように、この動作では、子機１で内線キーの押し下げがあると、親機１０、子機１および子機２の夫々で、ユーザが設定可能な回数、呼出音が鳴る点が図４８に示す動作と異なっている。
【０１３３】
図５１は、呼び出しを表す信号が外部から入力された機（呼出側の機）が、子機１であり、応答側の機が、子機２であり、呼出側の操作が、通話キーが操作された後、内線キーが操作された場合であり、応答側の操作が、子機２での音声検出であり、かつ、呼出音がない場合の動作の一例を示す動作図である。
【０１３４】
図５１に示すように、この動作では、子機１において、通話キーが押し下げられると、その情報が子機１から親機１０および子機２に伝達されて、図４６に示す音声経路７が構築されて、子機１からの音声データが、親機１０を介して外部に伝送できると共に、外部からの音声データが親機１０を介して子機１のスピーカに伝達できるようになる。
【０１３５】
続いて、子機１で内線キーが押し下げられると、その情報が子機１から親機１０および子機２に伝達されて、図４７に示す音声経路８が構築されて、子機１と親機１０との音声経路が構築されると共に、子機１と子機２との親機１０のＲＦモジュール１および２を介した音声経路が、構築されるようになっている。
【０１３６】
その後、子機２で音声の検出があると、その情報が子機２から子機１に伝達されて、その後、子機１から親機１０および子機２に制御信号が発信されて、図５２に示す音声経路１６が構築され、親機１０のＲＦモジュール１および２を介した子機１と子機２との音声経路が持続する一方、子機１と親機１０との音声経路が切断されるようになっている。
【０１３７】
図５３は、図５１に示す動作との比較において、応答側の操作が、子機２での音声の検出の代わりに、子機２での通話キーの押圧であるか、または、子機２でのスピーカーホンキーの押圧である点が異なる動作の動作図である。
【０１３８】
図５３に示すように、この動作では、音声経路８が構築されている状態で、子機２の通話キーが押し下げられると、その情報が子機２から子機１に伝達された後、子機１から親機１０および子機２に制御信号が発信されている。そして、図５４に示す音声経路１７が構築されて、機のＲＦモジュール１および２を介した子機１と子機２との音声経路が持続する一方、子機１と親機１０との音声経路が切断されるようになっている。
【０１３９】
また、図５３に示すように、音声経路８が構築されている状態で、子機２のスピーカーホンキーが押し下げられると、その情報が子機２から子機１に伝達された後、子機１から親機１０および子機２に制御信号が発信されるようになっている。そして、図５２に示す音声経路１６が構築されて、機のＲＦモジュール１および２を介した子機１と子機２との音声経路が持続する一方、子機１と親機１０との音声経路が切断されるようになっている。
【０１４０】
図５５は、図５１に示す動作との比較において、呼出音が鳴る点が異なる動作の動作図である。
【０１４１】
図５５に示すように、この動作では、子機１で内線キーの押し下げがあると、親機１０、子機１および子機２の夫々で、ユーザが設定可能な回数、呼出音が鳴る点が図５１に示す動作と異なっている。
【０１４２】
図５６は、図５３に示す動作との比較において、呼出音が鳴る点が異なる動作の動作図である。
【０１４３】
図５６に示すように、この動作では、子機１で内線キーの押し下げがあると、親機１０、子機１および子機２の夫々で、ユーザが設定可能な回数、呼出音が鳴る点が図５３に示す動作と異なっている。
【０１４４】
図５７は、この実施形態の電話装置で採用可能な動作の制御の一例を示すフローチャートである。
【０１４５】
図５７を参照して、親機またはある子機で動作をスタートすると、先ず、ステップＳ１で内線電話を要求するか否かを判断し、内線電話を要求せずに外線電話を要求するとくには、再度ステップＳ１を繰り返す。一方、ステップＳ１で内線電話を要求する場合には、ステップＳ２に移行して、呼出音の鳴動が設定されているか否かを判断する。そして、呼出音の鳴動が設定されていない場合には、ステップＳ５に移行する一方、呼出音の鳴動が設定されている場合には、ステップＳ３に移行する。
【０１４６】
ステップＳ３では、音声経路制御手段にあるカウンタで、呼出音が一回鳴る度、カウンタの数を一つ増やす制御を行い、次のステップＳ４に移行する。ステップＳ４では、カウンタの数が事前に設定した数であるか否かを判断する。そして、カウンタの数が事前に設定した数でない場合、ステップＳ２を再度行う一方、カウンタの数が事前に設定した数である場合、ステップＳ５に移行する。
【０１４７】
次のステップＳ５では、音声経路制御手段が、親機および全ての子機の音声経路をつなぐ制御を行った後、ステップＳ６に移行する。尚、ここで、この制御では、親機と、複数の子機との全ての二機の間の音声経路をつないでも良く、または、内線電話をかけた、親機もしくは子機と、その機以外の他の親機および子機の夫々との音声経路のみをつないでも良い。
【０１４８】
次に、ステップＳ６では、通話が要求されているか否かを判断する。そして、通話が要求されていない場合には、再度ステップＳ６を行う一方、通話が要求されている場合には、次のステップＳ７に移行する。
【０１４９】
最後に、ステップＳ７では、音声経路が、内線電話の音声経路に切り替えられる。詳しくは、ステップＳ７では、内線電話をかけた、親機もしくは子機と、応答した親機もしくは子機との音声経路が持続される一方、他の親機もしくは子機との音声経路は切断される。そして、その後、制御がエンドになる。
【０１５０】
上記実施形態の電話装置によれば、親機および複数の子機のうちの一つの機に呼び出しを表す信号がユーザーから入力されると、音声経路制御手段が、その呼び出しを表す信号が入力された機と、その機以外の他の親機および子機の夫々との音声経路を構築するように、親機および複数の子機を制御する。したがって、受け手が通話を望んだときには、もう既に必要な音声経路が構築されているから、受け手が、通話を迅速に行うことができる。
【０１５１】
尚、上記実施形態では、親機１０および子機４０の両方ともが、呼び出しを表す信号が入力された機以外の他の親機１０および子機４０に呼出音を鳴動させる例も説明されたが、この場合、呼出音の鳴動回数も設定できる鳴動選択手段は、親機、子機のボタン等で構成できる。上述のように、この発明では、親機および複数の子機の夫々が、呼び出しを表す信号が入力された機以外の他の親機および子機に呼出音を鳴動させるか否かを選択できると共に、呼出音を鳴動させる場合には、呼出音の鳴動回数も設定できる鳴動選択手段（親機、子機のボタン等で構成）を備え、かつ、その鳴動選択手段を介して呼出音の鳴動回数が設定された場合、上記鳴動回数回の呼出音が鳴動した後、音声経路制御手段が、第１制御を行うようにしても良いのである。
【０１５２】
また、上記実施形態では、親機１０および子機４０が、音声認識手段を有していなかったが、この発明では、親機および子機が、音声認識手段を有していても良く、事前に特定の音声（例えば、「私はここにいます。」（この文言に限らない））等を機に入力できるようになっていても良い。そして、受け手が、どこかの機で、呼び出しに、例えば、「私はここにいます。」と発言することで、音声経路制御手段が、その音声を認識して、第３制御を行って、音声経路制御手段で、その「私はここにいます。」という文言が検出された機と、呼び出しを表す信号が入力された機との音声経路以外の音声経路を切断するようにしても良い。
【０１５３】
また、上記実施形態では、親機１０および子機４０が、切キーや、停止キーを有していなかったが、この発明では、親機および複数の子機の夫々が、切キーや停止キーで構成される、呼び出しを表す信号が入力された機との音声経路を切断するための切断選択手段を備えていても良く、親機および複数の子機のうちの一以上の機で上記切断選択手段が選択されると、上記音声経路制御手段が、呼び出しを表す信号が入力された機と、その切断選択手段が選択された上記一以上の機との音声経路を切断する第５制御を行うようになっていても良い。
【０１５４】
また、この場合に、上記呼びだしを表す信号が入力された機以外の全ての機の切断選択手段が選択されると、上記呼びだしを表す信号が入力された機にビジートーンが流れるようになっていても良い。そして、この場合、内線電話をかけた人は、ビジートーンを認識することにより、所望の電話相手が存在しないことを認識することができる。
【０１５５】
また、上記実施形態によれば、親機１０および複数の子機４０のうちの一つの機に呼び出しを表す信号が入力されると、音声経路制御手段が、その呼び出しを表す信号が入力された機と、その機以外の他の親機１０および子機４０の夫々との音声経路を構築するように、親機１０および複数の子機４０を制御する第１制御を行った。しかしながら、この発明では、親機および複数の子機のうちの一つの機に呼び出しを表す信号が入力されると、音声経路制御手段は、第１制御において、その呼び出しを表す信号が入力された機と、その機以外の他の親機および子機の夫々との音声経路を構築すると共に、親機および複数の子機で構築可能な全ての二つの対の間の音声経路を構築するように、親機および複数の子機を制御しても良い。そして、この場合、親機および複数の子機のうちの一つの機に呼び出しを表す信号が入力されたときの制御を画一的に行うことができる。
【０１５６】
また、この発明では、上記呼びだしを表す信号が入力された機に発生された音声が、その機以外の全ての機に流れることが可能になっていても良く、この場合、話し手が会話を所望する人が、呼びだしを表す信号が入力された機以外の機が存在する如何なる部屋にいても容易に会話を行うことができる。
【０１５７】
また、この発明の一実施形態では、例えば、以下のような通話の使用をできる。すなわち、まず、親機および全ての子機が、音声認識手段を有している場合に、音声経路制御手段が、第１制御を行った後、内線電話をかけた人から、電話をしたい相手・内容が伝えられても、その相手・内容に答えれる人がいないときに、予め設定された音声を認識すると、その親機、もしくは、子機の音声経路は切断されることができる。
【０１５８】
また、例えば、音声経路制御手段が、第１制御を行った後、内線電話をかけた人から、直接、他の親機と子機全てに話しかけることができ、誰と話をしたいか伝えることが出来る。例えば、親機をリビングに設置、子機１を台所に設置、子機２を子供部屋に設置されていて、リビングにいるお父さんが子供（兄）と話がしたいとき（父、母、子供２人（兄と弟）の４人家族で、父がリビング、母と兄が台所、弟が子供部屋にいるとする）、先ず、リビングにいるお父さんが親機の内線キーを押す（親機から子機１、子機２とスピーカーホンの音声経路につながる）。そして、次に、お父さんが「○○（兄）いるか？」と話す（このとき、子機１、子機２のスピーカーに「○○（兄）いるか？」と流れる）。その後、子供部屋にいる弟が「子供部屋にはいないよ」と言って、切キーを押す（このとき、親機と子機２の音声経路が切断される）。そして、最後に、台所にいる兄が応答すると、お父さんと兄が話できる。このような使用をすることができる。
【０１５９】
また、この発明の一実施形態では、内線電話をかけた人は、話したい相手がどの部屋にいるかわからなくても、簡単に呼ぶ出しでき、簡単に話（内線電話）をできる。尚、話したい相手でない人は、内線呼出があっても応答する必要はない。
【０１６０】
尚、上記明細書の説明で行った、全ての実施形態および全ての変形例で構成される内容から二以上の発明特定事項を組み合わせて、本発明の新たな実施形態の発明を構成しても良いことは、勿論である。
【符号の説明】
【０１６１】
１０  親機
１１  親機の内線キー
１２  親機のスピーカーホンキー
１３  親機のハンドセット
２０  親機の制御部
４０  子機
５０  子機の通話キー
５１  子機の内線キー
５２  子機のスピーカーホンキー
６１  子機の制御部
【図１】
2014064119.tif 000003
【図２】
2014064119.tif 000004
【図３】
2014064119.tif 000005
【図４】
2014064119.tif 000006
【図５】
2014064119.tif 000007
【図６】
2014064119.tif 000008
【図７】
2014064119.tif 000009
【図８】
2014064119.tif 000010
【図９】
2014064119.tif 000011
【図１０】
2014064119.tif 000012
【図１１】
2014064119.tif 000013
【図１２】
2014064119.tif 000014
【図１３】
2014064119.tif 000015
【図１４】
2014064119.tif 000016
【図１５】
2014064119.tif 000017
【図１６】
2014064119.tif 000018
【図１７】
2014064119.tif 000019
【図１８】
2014064119.tif 000020
【図１９】
2014064119.tif 000021
【図２０】
2014064119.tif 000022
【図２１】
2014064119.tif 000023
【図２２】
2014064119.tif 000024
【図２３】
2014064119.tif 000025
【図２４】
2014064119.tif 000026
【図２５】
2014064119.tif 000027
【図２６】
2014064119.tif 000028
【図２７】
2014064119.tif 000029
【図２８】
2014064119.tif 000030
【図２９】
2014064119.tif 000031
【図３０】
2014064119.tif 000032
【図３１】
2014064119.tif 000033
【図３２】
2014064119.tif 000034
【図３３】
2014064119.tif 000035
【図３４】
2014064119.tif 000036
【図３５】
2014064119.tif 000037
【図３６】
2014064119.tif 000038
【図３７】
2014064119.tif 000039
【図３８】
2014064119.tif 000040
【図３９】
2014064119.tif 000041
【図４０】
2014064119.tif 000042
【図４１】
2014064119.tif 000043
【図４２】
2014064119.tif 000044
【図４３】
2014064119.tif 000045
【図４４】
2014064119.tif 000046
【図４５】
2014064119.tif 000047
【図４６】
2014064119.tif 000048
【図４７】
2014064119.tif 000049
【図４８】
2014064119.tif 000050
【図４９】
2014064119.tif 000051
【図５０】
2014064119.tif 000052
【図５１】
2014064119.tif 000053
【図５２】
2014064119.tif 000054
【図５３】
2014064119.tif 000055
【図５４】
2014064119.tif 000056
【図５５】
2014064119.tif 000057
【図５６】
2014064119.tif 000058
【図５７】
2014064119.tif 000059